(57)【要約】【課題】簡易な構造で着色光を得られ、彩色板の彩色部の変更により着色光を容易に変更する。【解決手段】箱状のフレーム１内に光源７を配置し、開口４付近に表示板１０を配置する。表示板１０は、透過部１３と非透過部１４とに区分けされ、中央部に情報伝達文字・装飾模様などの情報内容を表示した表示部１５を有する。表示板１０と光源７との間に反射板２０を配置する。表示板１０の光源７側で、反射板２０との間に彩色板３０を配置し、彩色板３０は彩色部３５を光源７側に向けて配置し、演出装置４０とする。光源７の光の一部は、反射板２０の透過部２３を透過して、彩色板３０に至り、彩色部３５で反射して、着色された光が反射板２０の反射面２５で再反射して表示板１０に至り、表示部１５に形成した情報を着色された情報として視認できる（ａ）。反射板２０を光源７の反対側に設けることもできる（ｂ）。【選択図】図１
2018055081.tif 000002
【特許請求の範囲】
【請求項１】
光源により情報内容を表し、以下のように構成したことを特徴とする演出装置。
(1) 前記光源の照射先であって、直接又は間接的な照射先に、前記情報内容を表示した表示部を形成した表示手段を配置し、前記表示部は光を透過して前記表示内容を視認できる構造とした。
(2) 前記表示手段と前記光源との間に彩色手段を配置し、前記彩色手段は、光を透過できる透過部を有し、かつ少なくとも光源側の面に彩色面を形成した。
(3) 前記彩色手段の光源側に、前記彩色面の内容を反射して前記表示手段側に照射する反射手段を配置した。
【請求項２】
箱状のフレーム内に配置した光源により情報内容を表し、以下のように構成したことを特徴とする演出装置。
(1) 前記フレーム内で、前記光源の照射先であって、直接又は間接的な照射先に、前記情報内容を表示した表示部を形成した表示手段を配置し、前記表示部は光を透過して前記表示内容を視認できる構造とし、かつ前記表示手段の外周に外周透過部を形成した。
(2) 前記フレーム内で、前記光源と前記表示板との間に、光を透過できる透過部を有し、かつ前記表示手段側に反射面を有する反射手段を配置した。
(3) 前記フレーム内で、前記表示板と前記反射手段との間に彩色板を配置し、前記彩色板は、光を透過しない非透過部をと、光を透過できる透過部とを有し、前記非透過部で少なくとも光源側に彩色面を形成した。
【請求項３】
以下のように構成したことを特徴とする請求項１または請求項２に記載の演出装置。
(1) 表示手段の光源側に彩色手段を密着した。
(2) 前記彩色手段を透過部と非透過部で区画して形成し、前記非透過部に彩色面を形成し、前記非透過部を前記表示板の表示部と重ならないように形成した。
【請求項４】
以下のように構成したことを特徴とした請求項２記載の演出装置。
(1) 表示手段の表示部および外周透過部から、反射手段の透過部および光源を目視できないように、前記表示手段の非透過部、前記反射手段の非透過部およびフレームを構成した。
【請求項５】
光源により情報内容を表し、以下のように構成したことを特徴とする演出装置。
(1) 前記光源の照射先であって、直接又は間接的な照射先に、表示手段を配置した。
(2) 前記光源の照射先であって、直接又は間接的な照射先に、彩色手段を配置し、前記彩色手段は、光源側の面に彩色面を形成した。
(3) 前記彩色手段は、光源からの照射を前記彩色面で受け、前記彩色面の情報を反射して、前記表示手段側に照射する機能を有するように形成した。
【請求項６】
以下のように構成したことを特徴とする請求項５記載の演出装置。
(1) 光源と彩色手段との間に、表示手段を配置した。
(2) 前記光源からの光が、前記表示手段に形成した開口または表示手段の端縁を通過して、前記彩色手段の彩色面に至り、前記彩色面で反射された光が前記表示手段の表示面に至る配置とした。
【発明の詳細な説明】
【技術分野】
【０００１】
本発明は、光源により表示板に表示した情報内容（文字、絵画、模様など）を表示する演出装置に関する。
【背景技術】
【０００２】
情報内容を表示した表示板の背後から光源を当てて、情報内容を明示するような装置では、情報内容に異なる色を表示することが求められる場合があった。この場合、例えば、多数のＲＧＢ三原色ＬＥＤを使用して、制御回路で、個々のＬＥＤを制御する方法が提案されている（特許文献１）。また、情報内容を表示したガラス板の側面に１色を彩色して彩色部を形成し、異なる色相で彩色された彩色部のガラス板を複数積層して、一色の光源から多数の色で情報内容を明示する方法が提案されている（特許文献２）。
【先行技術文献】
【特許文献】
【０００３】
【特許文献１】特開２００９−１６３１４９号公報
【特許文献２】登録実用第３０３４００４号公報
【発明の概要】
【発明が解決しようとする課題】
【０００４】
従来のＲＧＢ三原色ＬＥＤを使用する場合、色彩の変更は容易であるが、多数のＲＧＢ三原色ＬＥＤと制御回路を要し、複雑で高価となる問題があった。また、従来のガラス板の側面に彩色部を形成する場合、情報内容を色で分割し各ガラス板に表現しなければならず、色に応じて多数のガラス板が必要となり、積層した光源側のガラス板の情報が明示できないおそれもある問題があった。
【課題を解決するための手段】
【０００５】
本発明は、情報内容を表示する表示板の裏面側に、彩色板を配置し、かつ彩色板の光源側に反射板を配置したので、前記問題を解決した。
【０００６】
即ちこの発明は、光源により情報内容を表し、以下のように構成したことを特徴とする演出装置である。  
(1) 前記光源の照射先であって、直接又は間接的な照射先に、前記情報内容を表示した表示部を形成した表示手段を配置し、前記表示部は光を透過して前記表示内容を視認できる構造とした。  
(2) 前記表示手段と前記光源との間に彩色手段を配置し、前記彩色手段は、光を透過できる透過部を有し、かつ少なくとも光源側の面に彩色面を形成した。  
(3) 前記彩色手段の光源側に、前記彩色面の内容を反射して前記表示手段側に照射する反射手段を配置した。
【０００７】
また、他の発明は、箱状のフレーム内に配置した光源により情報内容を表し、以下のように構成したことを特徴とする演出装置である。  
(1) 前記フレーム内で、前記光源の照射先であって、直接又は間接的な照射先に、前記情報内容を表示した表示部を形成した表示手段を配置し、前記表示部は光を透過して前記表示内容を視認できる構造とし、かつ前記表示手段の外周に外周透過部を形成した。  
(2) 前記フレーム内で、前記光源と前記表示板との間に、光を透過できる透過部を有し、かつ前記表示手段側に反射面を有する反射手段を配置した。  
(3) 前記フレーム内で、前記表示板と前記反射手段との間に彩色板を配置し、前記彩色板は、光を透過しない非透過部をと、光を透過できる透過部とを有し、前記非透過部で少なくとも光源側に彩色面を形成した。
【０００８】
また、前記において、以下のように構成したことを特徴とする演出装置である。  
(1) 表示手段の光源側に彩色手段を密着した。  
(2) 前記彩色手段を透過部と非透過部で区画して形成し、前記非透過部に彩色面を形成し、前記非透過部を前記表示板の表示部と重ならないように形成した。
【０００９】
また、前記において、以下のように構成したことを特徴とした演出装置である。  
(1) 表示手段の表示部および外周透過部から、反射手段の透過部および光源を目視できないように、前記表示手段の非透過部、前記反射手段の非透過部およびフレームを構成した。
【００１０】
また、他の発明は、光源により情報内容を表し、以下のように構成したことを特徴とする演出装置である。  
(1) 前記光源の照射先であって、直接又は間接的な照射先に、表示手段を配置した。  
(2) 前記光源の照射先であって、直接又は間接的な照射先に、彩色手段を配置し、前記彩色手段は、光源側の面に彩色面を形成した。  
(3) 前記彩色手段は、光源からの照射を前記彩色面で受け、前記彩色面の情報を反射して、前記表示手段側に照射する機能を有するように形成した。
【００１１】
また、前記において、以下のように構成したことを特徴とする演出装置である。  
(1) 光源と彩色手段との間に、表示手段を配置した。  
(2) 前記光源からの光が、前記表示手段に形成した開口または表示手段の端縁を通過して、前記彩色手段の彩色面に至り、前記彩色面で反射された光が前記表示手段の表示面に至る配置とした。
【００１２】
前記における、表示板、反射板、彩色板は、透過部と非透過部とを区分けできれば、ある程度の厚さを有する板材（軟質または硬質）の他、薄い樹脂フィルム、その機能を持つコーティング層などで構成することができる。
【００１３】
また、前記における表示板は、通常は、「表示すべき情報」と「その情報の周りの地」を予め、透過部または非透過部とで形成しておき、光源からの光を当てて情報を表示させる。この場合、「表示すべき情報」を透過部とするか非透過部とするかは任意である。
【００１４】
また、表示板は、透過部と非透過部に区分せずに、全体を透過とし、あるいは全体を非透過として、他の部材（例えば、彩色板）で形成した情報を、表示板の表面に表示させることもできる。
【００１５】
また、前記における「直接又は間接的な照射先」とは、光源の光をそのまま表示板に照射する場合と、反射や透過をさせて、間接的に照射する場合とを含む。
【発明の効果】
【００１６】
この発明は、光源の照射先に表示部を形成した表示板を配置し、かつ表示板と光源との間に彩色面および透過部を有する彩色板を配置し、かつ彩色板の光源側に反射板を配置したので。彩色板に施した彩色の光が表示板の表示部から透過され、簡易な構造で着色光を得ることができる。また、彩色板の彩色面を異なる彩色にすることにより、容易に着色光を変更できる。
【図面の簡単な説明】
【００１７】
【図１】（ａ）（ｂ）は、この発明の演出装置の原理（実施態様）を説明する断面図を表す。
【図２】この発明の実施態様で、各板の透過部および非透過部を説明する縦断面図を表す。
【図３】この発明の第１の実施例で、（ａ）は斜視図、（ｂ）は縦断面図を表す。
【図４】この発明の第１の実施例の部品構成図を表す。
【図５】この発明の第２の実施例で、（ａ）は斜視図、（ｂ）は縦断面図を表す。
【図６】この発明の第２の実施例の部品構成図を表す。
【図７】この発明の第３の実施例で、（ａ）は部品構成図、（ｂ）は斜視図、（ｃ）は縦断面図を表す。
【図８】この発明の第３の実施例で、縦断面図を表す。
【図９】この発明の第４の実施例で、（ａ）は斜視図、（ｂ）は底面側からの外観図、（ｃ）は平面図、（ｄ）は（ｂ）のＡ−Ａ断面図を表す。
【図１０】この発明の実施例４の縦断面図を表す。
【図１１】この発明の実施例５で、斜視図を表す。
【図１２】この発明の実施例５で、概略した縦端面図を表す。
【図１３】この発明の実施例６で、（ａ）は斜視図、（ｂ）は分解斜視図を表す。
【図１４】この発明の実施例６で、（ａ）は平面図、（ｂ）は正面図、（ｃ）は右側面図、（ｄ）は（ａ）中のＢ視図を表す。
【図１５】この発明の実施例７で、（ａ）は分解斜視図、（ｂ）が正面図、（ｃ）は右側面図を表す。
【発明を実施するための形態】
【００１８】
図１、図２に基づき、この発明の実施形態を説明する。
【００１９】
１．第１の実施態様（図１（ａ））
【００２０】
（１）  底板３と側板２を有し、一面に開口４を形成した箱状のフレーム１の底板３付近に、光源７を配置し、開口４付近に表示板１０を配置する。光源７は、表示板１０側（開口４側）に向けてあり、光源は通常ＬＥＤから構成するが、使用状況に応じて、任意である。
【００２１】
（２）  表示板１０は、開口４側の面を一面１１とし、光源７側の面を他面１２とする。  
また、表示板１０は、板状材料で、光源７の光を透過させる透過部１３と、光源７の光を透過できない非透過部１４とに区分けされ、板状材料の中央部（外周以外の部分）の透過部１３、１３を、情報伝達文字・装飾模様などの情報内容を表示した表示部１５、１５とする。  
また、表示板１０は外周側にも透過部１３が形成され、外周透過部１６（透過部１３）とする。  
また、板状材料を光源からの光を透過させる透明材料から形成した場合には、表示部１５以外の部分で、主に他面１２側を非透過の膜やフィルムで被覆する。あるいは、板状材料を非透過の材料で形成した場合には、透過部１３（表示部１５）はステンシル状に情報内容を貫通孔として、あるいは、貫通孔に光を透過できる透明材料を充填し、あるいは貫通孔の開口縁に、光を透過できる透明材料（フィルムなど）で覆うこともできる。外周透過部１６も同様の構成である。
【００２２】
（３）  表示板１０と光源７との間に、表示板１０からある程度の間隔を空けて、反射板２０を配置する。反射板２０は、光を透過できる透過部２３と光を透過できない非透過部２４とに区分けされ、反射板２０の一面２１（表示板１０側、開口４側）で非透過部２４に、光源７からの光を反射する反射面２５を形成する。また、非透過部２４の他面２２（光源７側）にも反射面２５を形成してもよい。  
また、透過部２２は、表示板１０の表示部１５の形状模様に対応した形状で形成しても良いし、小さな透孔を連続して形成しても良いし、なんらかの模様を表すように形成しても良い。  
また、反射板２０の透過部２３、非透過部２４の形成は、表示板１０の透過部１３、非透過部１４の構成と同様である。
【００２３】
（４）  表示板１０の他面１２（光源７側）で、反射板２０との間に、板状材料からなる彩色板３０を配置する。彩色板３０は、一面３１（表示板１０側）を表示板１０の他面１２に密着し、他面３２（反射板２０側、光源７側）が反射板２０から所定距離を空けくように配置される。  
彩色板３０には、光源７の光を透過する透過部３３と、光源７の光を透過しない非透過部３４とに区分けされ、非透過部３４は、表示板１０の表示部１５（透過部１３）に重ならないような形状で構成される。また、非透過部３５で、他面（反射板側、光源側）３２に彩色部３５を形成し、彩色部３５には、表示板１０の表示部１５の模様などの情報内容に対応して、任意の色彩とすることができる。  
彩色板３０は、板状材料を薄いフィルム状あるいは膜状として、表示板１０の他面１２に接着して一体に構成すれば、取り扱いが容易となり、フレーム１の厚さ（表示板１０から底板３までの長さ）を薄く構成できる。また、彩色板３０を、板状材料をある程度の厚さを有するフィルム状や、板状として、表示板１０とは接着せずに、表示板１０の他面１２側に沿えるように配置すれば、季節や設置場所の環境に応じて、様々の着色の彩色部３５を有する彩色板３０を交換して、使用できる。
【００２４】
（５）  また、この場合、「フレーム１の側板２の先端縁２ａの表示板１０の一面１１からの突出量」「掲示板の表示板１０の外周透過部１６の位置、形状（＝非透過部１４の位置・形状）」「反射板２０の透過部２３の位置、形状（＝非透過部２４の位置・形状）」は、表示板１０の一面１１側から「表示板１０の外周透過部１６および表示部１５」を通して「反射板２０の透過部２３および光源７」が目視できないように配置してある（図２）。  
例えば、以下のように構成する。反射板２０の外周側に外周非透過部２４Ａを設ける。また、表示板１０の外周側では、表示板１０の非透過部１４の外周縁１４ａ（＝外周透過部１６の内周縁）と外周非透過部２４Ａの内周縁２４ａを結ぶ線Ｙ（２ａから内側に向かう）が、フレーム１の側板２の上縁２ａより突出しないように（側板２内に収まる）、形成する（図２）。また、表示板１０の非透過部１４ｂの内側の縁１４ａと反射板２０の非透過部２４の外側の縁２４ａを結び外周側に向かう線Ｚが底板３に至る付近に、光源７が存在しないようにする（図２）。
【００２５】
（６）  以上のようにして、演出装置４０を構成する（図１（ａ））。
【００２６】
（７）  この演出装置４０では、光源７を発光させると、光源７の光の一部は、反射板２０の透過部２３を透過して、彩色板３０に至り、彩色板３０の彩色部３５で反射する際に、彩色部３５の色に着色されて反射し、反射板２０の反射面２５（非透過部２４）で、再度反射する（図１（ａ）中破線の矢印）。さらに、その光は、彩色板３０の透過部３３を通過して、表示板１０の表示部１５（透過部１３）から外方に透過して、開口４側（表示板１０の一面１１側）に至る。開口４側（表示板１０の一面１１側）から表示部１５を見た人は、表示部１５に形成した情報を、あたかも着色された光として、情報内容を視認できる（図中破線の矢印。図１（ａ））。この場合、反射板２０の反射面２５と彩色板３０の彩色部３５とが、距離を空けて配置され（密着されていない）、さらに反射板２０の反射面２５と表示板１０の表示部１５とも距離があるので（密着されていない）ので、彩色板３０の彩色部３５で着色された光は淡く表示部１５に届く。  
また、光源７の光の内、彩色板３０の彩色部３５で反射させずに、直接に表示部１５に至る光もあり、表示部１５の表示をより明るく、かつ淡く表示させる。
【００２７】
２．第２の実施態様（図１（ｂ））
【００２８】
（１）  この実施態様では、反射板２０の構成と位置が第１の実施態様と異なる。 
底板３と側板２を有し、一面に開口４を形成した箱状のフレーム１の底板３付近に、光源７を配置し、開口４付近に表示板１０を配置する。光源７は表示板１０側（開口４側）に向けてある。
【００２９】
（２）  表示板１０の構成は、前記第１の実施態様と同様である。
【００３０】
（３）  光源７とフレーム１の底板３との間、表示板１０からある程度の間隔を空けて、反射板２０を配置する。すなわち、表示板１０と反射板２０の間に光源７が配置される。  
反射板２０は、光を透過できない非透過部２４にみから構成され、反射板２０の一面２１（表示板１０側、開口４側、光源７側）に、光を反射する反射面２５を形成する。また、反射板２０の他面２２はフレーム１の底板３付近に位置する。
【００３１】
（４）  表示板１０の他面１２（光源７側）で、反射板２０との間に、板状材料からなる彩色板３０を配置する。彩色板３０の構成は、前記第１の実施態様と同様である。
【００３２】
（５）  以上のようにして、演出装置４０を構成する（図１（ｂ））。
【００３３】
（６）  この演出装置４０では、光源７を発光させると、光源７の光は、彩色板３０に至り、彩色板３０の彩色部３５で反射する際に、彩色部３５の色に着色されて反射し、反射板２０の反射面２５に至り、再度反射する（図２（ａ）中破線の矢印）。さらに、その光は、前記第１の実施態様と同様に、彩色板３０の透過部３３を通過して、表示板１０の表示部１５（透過部１３）から外方に透過して、開口４側（表示板１０の一面１１側）に至る。開口４側（表示板１０の一面１１側）から表示部１５を見た人は、表示部１５に形成した情報を、あたかも着色された光として、情報内容を視認できる（図中破線の矢印。図１（ａ））。視認された情報内容は、前記第１の実施態様の光と同様である。
【００３４】
３．他の実施態様
【００３５】
（１）  前記実施態様において、表示板１０に外周透過部１６を形成したが、外周透過部１６を省略することもできる（図示していない）。
【００３６】
（２）  また、前記実施態様において、光源７の光を効率よく表示板１０に至らせるためには、フレーム１を側板２、２と底板３とを有する箱状に構成し、表示板１０、彩色板３０、反射板２０および光源７を囲んで密閉することが望ましいが、表示板１０、彩色板３０、反射板２０および光源７を所定間隔に配置できれば、フレーム１の構成は枠状など他の構成とすることもできる（図示していない）。  
さらに、表示板１０、彩色板３０、反射板２０および光源７を所定間隔に配置できれば、フレーム１を省略することもできる（図示していない）。
【実施例１】
【００３７】
図３、図４に基づきこの発明の第１の実施例を説明する。
【００３８】
（１）  フレーム１は、底板３と側板２を有し、一面に開口４を形成した箱状としてあり、フレーム１の底板３付近に、光源７を配置し、開口４付近に表示板１０を配置する。光源７は、表示板１０側（開口４側）に向けてあり、光源はＬＥＤから構成する。
【００３９】
（２）  表示板１０は、透明の板状材料からなり、光源７の光を透過させる透過部１３と、光源７の光を透過できない非透過部１４とに区分けされ、板状材料の中央部（外周以外の部分）の透過部１３、１３を、「ＸＹＺ」なる情報伝達文字からなる貫通孔を形成して表示部１５、１５とする。また、表示板１０は外周側には外周透過部１６を形成する。表示部１５、外周透過部１６以外が非透過部１４を構成する。非透過部１４には、表示板１０の光源７側の面に、白色など目立たない色の非透過シート、黒色などの非透過シートを重ねて貼着して構成する。
【００４０】
（３）  表示板１０と光源７との間に、反射板２０を配置する。反射板２０は、非透過性の板状材料に、表示板１０の表示部１５と同じ形状の「ＸＹＺ」の貫通孔を形成して、光を透過できる透過部２３とする。透過部２３以外の部分が非透過部２４となる。非透過部２４の表示板１０側の面を反射面２５とする。
【００４１】
（４）  表示板１０の光源７側の面に、シート状の材料からなる彩色板３０を密着させる。彩色板３０は、表示板１０の表示部１５と同じ形状の「ＸＹＺ」の貫通孔を形成して透過部３３として、他の部分を非透過部３４としてある。非透過部３４で光源７側の面に、彩色部３５を形成し、彩色部３５には、任意の色彩を施してある。
【００４２】
（５）  以上のようにして、演出装置４０を構成する（図３、図４、図１（ａ））。
【実施例２】
【００４３】
図５、図６に基づきこの発明の第２の実施例を説明する。
【００４４】
（１）  フレーム１は、実施例１と同様に、底板３と側板２を有し、一面に開口４を形成した箱状としてあり、フレーム１の底板３の内面に反射板２０を重ねてあり、反射板２０は内面側（表示板１０側）に向けて反射面２５を形成し、反射板２０の反射面２５付近に、光源７を配置し、開口４付近に表示板１０を配置する。光源７は、表示板１０側（開口４側）に向けてあり、光源はＬＥＤから構成する。
【００４５】
（２）  表示板１０は、透明の板状材料からなり、光源７の光を透過させる透過部１３と、光源７の光を透過できない非透過部１４とに区分けされ、板状材料の中央部（外周以外の部分）の透過部１３、１３を、「ＸＹＺ」なる情報伝達文字からなる貫通孔を形成して表示部１５、１５とする。表示部１５以外が非透過部１４を構成する。非透過部１４には、表示板１０の光源７側の面に、白色など目立たない色の非透過シート、黒色などの非透過シートを重ねて貼着して構成する。
【００４６】
（３）  表示板１０の光源７側の面に、透明の板状材料からなる彩色板３０を密着させる。彩色板３０は、表示板１０の表示部１５と同じ形状の「ＸＹＺ」の貫通孔を形成して透過部３３として、他の部分を非透過部３４としてある。非透過部３４で光源７側の面に、彩色部３５を形成し、彩色部３５には、任意の色彩を施してある。
【００４７】
（４）  以上のようにして、演出装置４０を構成する（図５、図６、図１（ｂ））。
【実施例３】
【００４８】
図７、図８に基づきこの発明の第３の実施例を説明する。この実施例はフレーム１を省略した実施例である。
【００４９】
（１）  垂直の壁面４２を反射板２０の反射面２５として、壁面４２の表示板形成予定部４３付近に光源７を配置する光源７は、表示板１０側（開口４側）に向けてあり、光源はＬＥＤから構成する。
【００５０】
（２）  壁面に沿って、配置される（この場合は垂直）表示板１０は、板状材料からなり光源７の光を透過させる透過部１３と、光源７の光を透過できない非透過部１４とに区分けされ（具体的な情報は省略してある）、板状材料の透過部１３に表示部１５を形成してある。なお、表示板１０は壁面に沿ってあれば、壁面４２に平行である必要はなく、多少角度があっても良い。
【００５１】
（３）  表示板１０の光源７側の面に、シート状の材料からなる彩色板３０を密着させる。彩色板３０は、表示板１０の表示部１５に対応して透過部３３を形成して、他の部分を非透過部３４としてある。非透過部３４で光源７側の面に、彩色部３５を形成し、彩色部３５には、任意の色彩を施してある。
【００５２】
（４）  以上のようにして、演出装置４０を構成する（図７）。なお、ここで、壁面４２と所定間隔を保って、表示板１０を取り付ける手段は省略してあるが、壁面４２あるいは図示していない天井面または床面から表示板１０を動かないように、棒、ワイヤー、板などの手段で固定されている。
【００５３】
（５）  この場合、演出装置４０Ａを観察者４６の目線より下方に設置する場合に、垂直に配置した表示板１０の上縁１０ａと壁面４２（反射板２０）との間に、天板５（すわわちフレーム１）を取り付けて、表示板１０と壁面４２の隙間を塞げば、観察者４６から光源７を見えなくすることもできる（図８）。  
また、同様に、演出装置４０Bを観察者４６の目線より上方に設置する場合に、垂直に配置した表示板１０の下縁１０ｂと壁面４２（反射板２０）との間に、底板３（すわわちフレーム１）を取り付けて、表示板１０と壁面４２の隙間を塞げば、観察者４６から光源７を見えなくすることもできる（図８）。
【００５４】
（６）  前記において、壁面４２は垂直面とした、傾斜面、あるいは天井面、床面などとすることもでき、この場合にも、表示板１０は、壁面４２（傾斜面、天井面、床面）に沿って、配置される（図示していない）。
【実施例４】
【００５５】
図９、図１０に基づきこの発明の第４の実施例を説明する。この実施例はフレーム１の外側に表示板１０、彩色板３０、反射板２０を配置した実施例である。
【００５６】
（１）  平面（図９では水平面。傾斜面、垂直面でも可）を反射板２０として、平面に上方に開口４を形成した側板２、２からなる小分けしたフレーム１を取り付け、各フレーム１の底（平面側）に光源７、７を配置する。フレーム１の側面２、２の上縁２ａから所定距離を空けて、反射板２０に沿って表示板１０、彩色板３０を配置する。反射板２０は図中上方に向けて反射面２５を構成する。
【００５７】
（２）  表示板１０は、図９では、「光」の文字を形成する部分を非透過部１４とし、「光」の文字の周辺を透過部１３として、表示部１５を形成している。  
また、表示板１０のフレーム１側の面に彩色板３０を配置する。したがって、表示板１の非透過部１４のフレーム１側の面に、彩色板１０の非透過部３４が配置され、表示板１の透過部１３に彩色板３０の非透過部３３が対応する。ここで、透過部１３、３３は間隙としたが、ガラスや透明樹脂のような透過性の材料で形成することもできる（図示していない）。  
表示板１０および彩色板３０は、柱材でフレーム１内の平面（反射面２０）に固定される（図９（ｂ）（ｄ））。以上のようして、演出装置４０を構成する（図９、図１０）。
【００５８】
（３）  この実施例も各実施例と同様に、光源７からの光はフレーム１の開口から抜け、彩色板３０に当たり、彩色を帯びた反射光は、さらに反射板２０で反射して、表示板１０の非透過部１４（「光」の文字＝情報）を浮かび上がらせる（図１０）。また、この際、通常、観察者から光源７が目視されない。
【００５９】
（４）  前記実施例において、フレーム１の底３も反射板２０（反射面２５）とすることもできる（図示していない）。
【００６０】
（５）  なお、前記実施例において、「光」の文字を構成する総て非透過部１４とその隙間の透過部１３とから表示板１０の表示部１５としたが、「光」の文字を構成する各非透過部１４が独立した表示板１０して、本実施例では表示板１０が３つあると考えることもできる。  
この場合、表示板１０は、文字情報を構成する非透過部１４の形状に構成し、非透過部１４の外周が表示部１５となる。したがって、表示部１０（表示部１５）には透過部１３を有しない、こととなる。したがって、表示板１０は、透過部１３を有せず、非透過部１４のみから構成する場合も含まれる。
【実施例５】
【００６１】
図１１、図１２に基づき、他の実施例（実施例５）について説明する。この実施例５は、前記実施例１〜４と異なり、光源と彩色手段との間に表示手段を配置して、単独の反射手段を省略し、また表示手段と彩色手段を光源方向に複数設けた実施例である。また、一つの多機能板５０（多数の多機能板５０、５０から構成した多機能具６０）に、表示面５５（表示手段）と彩色面５７（彩色手段）を備えた。
【００６２】
（１）  頂点を丸めた二等辺三角形状の多機能板５０Ａの４枚を並べて、隣接する多機能板５０、５０の斜辺５１を互いに連結して、四角錘状の第１多機能具６０Ａを形成する。第１多機能具６０Ａに底板は無く、下方に向けて開放してある。なお、多機能板５０Ａの頂点は水平に切断して台形状とすることも可能であり、あるいは頂点を鋭角状に保つことも可能である（図示していない）。また、多機能具６０Ａの上端は閉塞または開放のいずれでも可能である。  
また、第１多機能具６０Ａの多機能板５０Ａよりやや大きな二等辺三角形（頂角は第１多機能具６０Ａの多機能板５０と同じ）の多機能板５０Ｂの４枚を並べて、隣接する多機能板５０Ｂの斜辺５１、５１を互いに連結して、四角錘状の第２多機能具６０Ｂを形成する。第２多機能具６０Ｂの多機能板５０Ｂ、５０Ｂは頂点付近を切除して頂部開口６１を形成してあり、第２多機能具６０Ｂは上方に向けて開放し、また、第１多機能具６０Ａと同様に、底板は無く、下方に向けても開放してある。  
また、第２多機能具６０Ｂの多機能板５０Ｂよりやや大きな二等辺三角形（頂角は第１多機能具６０Ａの多機能板５０Ａと同じ）の多機能板５０Ｃの４枚を並べて、隣接する多機能板５０Ｃ、５０Ｃの斜辺５１、５１を連結して、四角錘状の第３多機能具６０Ｃを形成する。第３多機能具６０Ｃの多機能板５０Ｃ、５０Ｃは頂点付近を切除して頂部開口６１を形成してあり、第３多機能具６０Ｃも第２多機能具６０Ｂと同様に、上方に向けて開放し、また、第１多機能具６０Ａと同様に、底板は無く、下方に向けても開放してある。  
また、第３多機能具６０Ｃの多機能板５０Ｃよりやや大きな二等辺三角形（頂角は第１多機能具６０Ａの多機能板５０Ａと同じ）の多機能板５０Ｄの４枚を並べて、隣接する多機能板５０Ｄ、５０Ｄの斜辺５１、５１を連結して、四角錘状の第４多機能具６０Ｄを形成する。第４多機能具６０Ｄの多機能板５０Ｄ、５０Ｄは頂点付近を切除して頂部開口６１を形成してあり、第４多機能具６０Ｄも第２多機能具６０Ｂと同様に上方に向けて開放し、また、第１多機能具６０Ａと同様に、底板は無く、下方に向けても開放してある。また、第４多機能具６０Ｄでは、多機能板５０Ｄの二等辺三角形の底辺相当部分に、上に凸の三角形状の底部切り欠き６２を形成してある。
【００６３】
（２）  また、第１多機能具６０Ａ〜第３多機能具６０Ｃで、多機能板５０Ａ、５０Ｂ、５０Ｃの底辺５２は、大小の円形を並べた形状を基調にした屈曲形状に形成して、また、底辺５２周辺に丸型の透孔を多数個形成して透過部５３、５３としてある。  
また、第１多機能具６０Ａ〜第４多機能具６０Ｄの各多機能板５０Ａ、５０Ｂ、５０Ｃ、５０Ｄで、外面側が表示面５５を構成する。第１多機能具６０Ａの多機能板５０Ａ表示面５５の下部、とりわけ底辺５２付近の縁と透過部５３周辺が表示部１５を構成する。また、第２多機能具６０Ｂおよび第３多機能具６０Ｃでも、表示面５５の下部、とりわけ底辺５２付近の縁と透過部５３周辺が表示部１５を構成し、また、これと上方に位置する多機能具６０Ａ、６０Ｂの多機能板５０Ａ、５０Ｂの下部との間隙５８のある重なりから表示部１５を構成する。また、第４多機能具６０Ｄでは、多機能板５０Ｄの下部、とりわけ底辺５２付近の縁の周辺が表示部１５を構成し、また、これと上方に位置する多機能具６０Ｃの多機能板５０Ｃの下部との間隙５８のある重なりから表示部１５を構成する。
【００６４】
（３）  また、第１多機能具６０Ａ〜第４多機能具６０Ｄの各多機能板５０Ａ、５０Ｂ、５０Ｃ、５０Ｄの内面で、全体あるいは、少なくとも下側（底辺５２側）に、一つまたは複数の彩色を施して、その内面を彩色面（彩色手段）５７とする。
【００６５】
（４）  第４多機能具６０Ｄの上に、第３多機能具６０Ｃ、第２多機能具６０Ｂ、第１多機能具６０Ａを順に並べて、各多機能板５０Ａ、５０Ｂ、５０Ｃ、５０Ｄ同士が重ならないように、所定の間隙５８を設けて、配置する。配置した各多機能具６０Ａ〜６０Ｄの内側に光源（例えば、ＬＥＤ）７を配置し、光源用の電源（図示していない）も設ける。光源７は、第２多機能具６０Ａ、第３多機能具、第４多機能具の頂部開口６１、６１を貫くように縦長の構造とし、水平方向で３６０°に照射できる構造としてある（図１２）。なお、光源７は、各多機能板５０Ａ〜５０Ｄの彩色面５７、５７に照射できれば、設置位置、数、構造などは任意である。  
以上のようにして、実施例５の演出装置７０を構成する（図１１、図１２）。
【００６６】
（５）  演出装置７０は、水平面７１に載置して使用し、あるいは、水平面７１を有する専用ベース（図示していない）と共に使用する（図１２）。  
水平面７１に演出装置７０を置いて、光源７を発光させると、光は、図１２矢示のように、各多機能具６０Ａ〜６０Ｃの多機能板５０Ａ〜５０Ｃの内面の彩色面５７に至りかつ彩色面５７で反射されて、彩色された光が下方に位置する多機能具６０Ｂ〜６０Ｄの多機能板５０Ｂ〜５０Ｄ表示面５５、５５に照射される。これにより、単色あるいは多色色分けされた彩色面５７、５７の情報と、多機能板５０Ａ〜５０Ｃの端縁（底辺）５２や、透過部５３、５３などの表示部１５の情報が浮かび上がる（図１１）。また、この際、通常、観察者から光源７が目視されない。また、この際、第４多機能具６０Ｄの彩色面５７から水平面７１にも、彩色された光が反射して照射され、底部切り欠き６２から外側に至るので、水平面７１と第４多機能具６０Ｄの多機能板５０Ｄの底辺５２の縁（底部切り欠き６２の縁）が表示部１５を構成している。  
また、この場合、上下に重なる多機能具６０Ａ〜６０Ｄで、各多機能板５０Ａ〜５０Ｄで、上側に隣接する多機能板５０Ａ〜５０Ｄとの間の間隙５８で先端付近が表示部１５を構成しているとも言える。
【００６７】
（６）  また、演出装置７０は、第１多機能具６０Ａを下にして、上下逆に配置することもできる（図示していない）。  
また、演出装置７０は、水平面７１に置かずに、上方から吊り下げることもできる（図示していない）。また、第１多機能具６０Ａを下にして、上下逆に吊り下げることもでき、この場合には、天井面を水平面７１として、第４多機能具６０Ｄからの表示部１５として構成することもできる（図示していない）。
【００６８】
（７）実施例５の他の実施例
【００６９】
前記実施例において、多機能具６０Ａ〜６０Ｄは４つ設けたが、上下で対応する表示面５５と彩色面５７を形成できるように、少なくとも２つ配置してあればよい（図示していない）。
【００７０】
また、前記実施例において、透過部５３、５３や各多機能板５０Ａ〜５０Ｄの底辺５２で文字を形成すれば、文字情報を情報として、各表示部１５に表示させることもできる（図示していない）。また、彩色面５７に色分け文字を形成すれば、多機能板５０Ａ〜５０Ｄの表示面５５にその文字をうっすらと表示させることもできる。
【００７１】
また、前記実施例において、第１多機能具６０Ａの頂上や各多機能具６０Ａ〜６０Ｄの外面（表示面５５）に、各種の飾りを施すこともできる（図示していない）。この場合には、各多機能具６０Ａ〜６０Ｄの飾りにより、さらに立体的な表示部１５を構成することができる。さらに、第１多機能具６０Ａの頂点にも頂部開口６１を設ければ、第１多機能具６０Ａの頂上にも飾りと合いまった表示部１５を構成できる。
【００７２】
また、前記実施例において、各多機能具６０Ｂ〜６０Ｄに頂部開口６１を設けないこともでき、この場合には、上下の多機能板５０Ｂ〜５０Ｄの間隙５８、５８に、それぞれ光源７を配置する必要がある（図示していない）。
【００７３】
また、前記実施例において、第１多機能具６０Ａ〜第４多機能具６０Ｄはいずれも、二等辺三角形が同じ傾斜角度に形成したので、対応する多機能板５０Ａ〜５０Ｄが互いに平行に形成してあり、間隙５８、５８を無くせば各表示面５５と彩色面５７とが重なるような構造になっているが、間隙５８、５８を確保できれば、二等辺三角形の傾斜角度（頂点の角度など）を変えて、多機能板５０Ａ〜５０Ｄを平行では無い角度を有する構造とすることもできる（（図示していない）。
【００７４】
また、各多機能板５０Ａ〜５０Ｄの形状は三角形以外の任意の形状（例えば四角形や円形・楕円形など）とすることもでき、上下で多機能板５０Ａ〜５０Ｄの間に間隙５８、５８を設けて構成できれば、形状の異なる様々な多機能板５０Ａ〜５０Ｄを組み合わせて使用することもできる（図示していない）。
【００７５】
また、各多機能具６０Ａ〜６０Ｄを三角錘状以外で、底が空いた四角錐や五角錐などの多角錘や円錐、底が空いた立方体や直方体や半球などとすることもできる（図示していない）。
【実施例６】
【００７６】
図１３、図１４に基づき、他の実施例（実施例６）について説明する。この実施例６も、前記実施例５と同様に、光源と彩色手段との間に表示手段を配置して、単独の反射手段を省略し、また表示手段と彩色手段を光源方向に複数設けた実施例である。
【００７７】
（１）  平面正方形（長方形）の水平基台６３の上面６４で、平面視で一隅部に三角錘状の基部格納部６６を形成し、基部格納部６６の斜めの面６７から斜め４５°（角度は任意）に軸６５を設定して、軸６５に直角に多数の多機能板５０、５０を所定の間隙５８を設けて配置して、その多機能板５０を水平基台６３に取り付ける。したがって、各多機能板５０、５０は平行に配置されている。  
各多機能板５０は、略中央部に開口５４を形成した枠形状（環状枠状または切れた枠状）で、多機能板５０の基部格納部６６側の面（軸６５の基端側）に単色または多色の彩色を施した彩色面５７を形成する。また、軸６５の放射方向で一番先端の多機能板５０ａは略三角形で、開口５４を形成していない。また、各多機能板５０、５０で彩色面５７の他側の面（軸６５の放射側）が表示面５５を構成する。  
基部格納部６６内に光源（例えば、ＬＥＤ）７、７を配置して、多機能板５０側に照射方向を向ける。光源７、７は、多機能板５５（彩色面５７）に略直角に向いて照射する光源７と、斜めに向いて照射する光源７とを設けてある。また、基部格納部６６の多機能板５０側の面６７を多機能板５０と平行に形成して、その面に多機能板５０の表示面５５と同様の表示面６７としてある。  
また、各多機能板５０、５０、５０ａの間隙を保つために、適宜、短い円柱状のスペーサー６９、６９を取り付ける。  
以上のようにして、実施例６の演出装置７０を構成する（図１３、図１４）。各多機能板５０、５０の開口５４、５４は、光源７に近い側では比較的大きく形成して、光源７から遠い側（軸６５の放射側）では、開口５４を狭く形成して、最後の多機能板５０ａでは開口５４を省略してあるが、多機能板５０ａにも開口５４を形成することもできる（図示していない）。
【００７８】
（２）  この演出装置７０では、光源７を発光させると、光は、各多機能板５０、５０の開口５４、５４を通過して、全ての多機能板５０、５０、５ａの内面の彩色面５７、５７に至りかつ彩色面５７、５７で反射されて、彩色された光が、軸６５方向の基端側（基部格納部６６側）の多機能板５０の表示面５５（特に外周側）に照射される。これにより、単色あるいは多色色分けされた彩色面５７の情報と、多機能板５０，５０、５０ａの端縁５２、５２の情報が浮かび上がる。また、この際、通常、観察者から光源７が目視されない。また、この場合、多機能板５０、５０、５０ａで、軸６５方向で放射方向に隣接する多機能板５０、５０、５０ａとの間の間隙５８、５８で外周付近が表示部１５を構成しているとも言える。なお、面６７でも同様に表示部１５を構成する。
【００７９】
（３）実施例６の他の実施例
【００８０】
前記実施例において、多数の多機能板５０、５０、５０ａは、軸６５を斜めに設定して、多機能板５０、５０ａの外周縁を結んだ線が平面視、正面視、側面視で正方形となるような形状に形成したが（図４（ａ）〜（ｃ））、開口５４が形成してあれば、多機能板５０、５０ａの形状は任意である（図示していない）。また、各多機能板５０、５０、５０ａは軸６５に直角に形成して、各多機能板５０、５０、５０ａを平行に配置したが、各多機能板５０、５０、５０ａを平行ではない、角度を持って配置することもできる（図示していない）。  
また、前記実施例において、光源７を中央部付近の多機能板５０、５０の開口５４、５４内に配置することもできる（図示していない）。
【実施例７】
【００８１】
図１５に基づき、他の実施例（実施例７）について説明する。この実施例６も、前記実施例５と同様に、光源と彩色手段との間に表示手段を配置して、単独の反射手段を省略した実施例で、表示手段と彩色手段を１つとした実施例である。
【００８２】
（１）  水平基台の６３の上面６４で、一側（正面側）６４ａを空けて、他側６４ｂに垂直基板６８を立設して、垂直基板６８の一面側（正面側）に、表示板１０を立設する。表示板１０は、垂直基板６８と所定の間隙６８ａを設けて配置され、略中央に開口５４を形成してある。表示板１０の一面（正面側）が表示面５５を構成する。  
水平基台６３の水平面６４上で、表示板１０の表示面５５から所定距離の間隙５８を空けて、縦方向の彩色板５９を立設する。彩色板５９の下端部に表示板１０との間隙５８を保つためのスペーサー６９が設けられ、彩色板５９の他面側（表示板１０側）には、単色または多色による彩色が施された彩色面５７を構成形成してある。彩色板５９は彩色面５７が光源７に正対するような位置に配置されている。
【００８３】
（２）  垂直基板６８の一面に縦長の光源７を取り付けし、表示板１０の開口５４に露出している。また、水平基台６３内に、光源用の電源などを設ける（図示していない）。以上のようにして、実施例７の演出装置７０を構成する（図１５）。彩色板５９は、水平基台６３の水平面６４に固定し、あるいは移動自在に水平面６４上に置くこともできる。さらに彩色板５９は、上方から吊り下げて水平面６４の上方に配置することもできる（図示していない）。
【００８４】
（３）  実施例７の演出装置では、光源７を発光させると、光は、表示板１０の開口５４から彩色板５９側（正面側）に照射されて、彩色板５９に至りかつ彩色面５７で反射されて、彩色された光が表示板１０の表示面５５に照射される。これにより、単色あるいは多色色分けされた彩色面５７の情報が、表示板１０の表示面５５に表示部１５の情報として浮かび上がる。この際、表示板１０の外周の端縁１０ｃ、開口５４の端縁１０ｃの形状も利用して表示部１５とすることもできる。なお、この際、観察者が、彩色板５９を目視した際に、光源７が視界に入らないような配置としてあるが、この配置は任意である。  
また、この場合、彩色面５７や光源７を淡い（落ち着きのある）構成などとすれば、演出装置７０を葬儀の祭壇などにも使用することもできる。この場合、彩色板５９の一面（彩色面５７の反対側）は儀式に応じて自由に使用することができる（図示していない）。
【００８５】
（４）実施例７の他の実施例
【００８６】
前記実施例において、彩色板５９は、光源７を多数設けた場合には、１つあるいは複数の光源７、７に対応して、この光源７に正対するように、１つまたは複数個を配置することが望ましい（図示していない）。また、彩色板５９は縦長長方形としたが、形状は任意である（図示していない）。
【００８７】
また、前記実施例において、表示板１０に開口５４を設けて光源７を臨ませたが、開口５４を設けずに表示板１０の一面５５に直接に光源７を取り付けることもできる（図示していない）。
【００８８】
また、前記実施例において、彩色板５９に透孔を形成して、表示板１０の表示面５５と合わせて表示部１５とすることもできる（図示していない）。
【００８９】
また、前記実施例において、彩色板５９に複数の彩色面５７を形成することもできる（図示していない）。
【００９０】
また、前記実施例において、開口５４を複数形成して、あるいは開口５４を形成せずに、光源７を複数個配置することもできる（図示していない）。この場合。光源７に対応して、複数の表示板１０、彩色板５９を設けることもできる（図示していない）。
【符号の説明】
【００９１】
１    フレーム
２    フレームの側板
３    フレームの底板
４    フレームの開口
５    天井板（フレーム）
７    光源
１０  表示板（表示手段）
１１  表示板の一面
１２  表示板の他面
１３  表示板の透過部
１４  表示板の非透過部
１５  表示板の表示部
１６  表示板の外周透過部
２０  反射板（反射手段）
２１  反射板の一面
２２  反射板の他面
２３  反射板の透過部
２４  反射板の非透過部
２５  反射板の反射面
３０  彩色板（彩色手段）
３１  彩色板の一面
３２  彩色板の他面
３３  彩色板の透過部
３４  彩色板の非透過部
３５  彩色板の彩色部
４０  演出装置
４２  壁面
４６  観察者
４８  柱材
５０  多機能板
５２  多機能板の端縁（底辺）
５３  多機能板の透過部
５４  多機能板の開口（透過部）
５５  多機能板の表示面（表示手段）
５７  多機能板の彩色面（彩色手段）
５９  彩色板
６０、６０Ａ、・・・６０Ｄ  多機能具
６３  水平基台
６４  水平基台の上面
６５  軸
６６  基部格納部
６７  基部格納部の面（表示面、表示手段）
６８  垂直基板
６９  スペーサー
７０  演出装置
７１  水平面
【図１】
2018055081.tif 000003
【図２】
2018055081.tif 000004
【図３】
2018055081.tif 000005
【図４】
2018055081.tif 000006
【図５】
2018055081.tif 000007
【図６】
2018055081.tif 000008
【図７】
2018055081.tif 000009
【図８】
2018055081.tif 000010
【図９】
2018055081.tif 000011
【図１０】
2018055081.tif 000012
【図１１】
2018055081.tif 000013
【図１２】
2018055081.tif 000014
【図１３】
2018055081.tif 000015
【図１４】
2018055081.tif 000016
【図１５】
2018055081.tif 000017